(57)【特許請求の範囲】
【請求項１】
梁柱架構の内面に配設される耐震壁であって、
蟻状の凸部が形成された辺と蟻状の凹部が形成された辺とを有する複数の木製ブロックを積み上げることにより形成された壁本体と、
前記壁本体の外周を覆う接合枠と、を備えており、
前記凸部が形成された辺と前記凹部が形成された辺は互いに直交しており、
前記接合枠と当接しない前記木製ブロックは、二組の対向する一対の辺のうち、一方の両辺に前記凸部が形成されているとともに、他方の両辺に前記凹部が形成され、
隣接する前記木製ブロック同士が一方の前記木製ブロックの前記凹部に他方の前記木製ブロックの前記凸部を挿入することにより互いに係合しているとともに、前記接合枠と当接する前記木製ブロックが、前記接合枠の内面に突設された固定部材を利用して該接合枠に締着され、前記壁本体が前記接合枠を介して前記梁柱架構に固定されていることを特徴とする、耐震壁。
【請求項２】
梁柱架構の内面に配設される耐震壁であって、
複数の木製ブロックを積み上げることにより形成された壁本体と、
前記壁本体の外周を覆う接合枠と、を備えており、
隣接する前記木製ブロック同士が、前記接合枠に両端が固定された鋼棒に固定された係合ブロックを介して互いに係合しているとともに、前記壁本体が前記接合枠を介して前記梁柱架構に固定され、
前記木製ブロックは、前記係合ブロックの係止が可能となるように角に切り欠き部が形成されていることを特徴とする、耐震壁。
【請求項３】
前記係合ブロックは、４つの前記木製ブロックの前記切り欠き部を組み合わせることにより形成される開口と同形状に形成されていることを特徴とする、請求項２に記載の耐震壁。
【請求項４】
梁柱架構の内面に配設される耐震壁であって、
複数の木製ブロックを積み上げることにより形成された壁本体と、
前記壁本体の外周を覆う接合枠と、を備えており、
前記接合枠の内面に、前記木製ブロックと接合するための固定部材が突設されていて、
隣接する前記木製ブロック同士が互いに係合しているとともに、
前記接合枠と当接する前記木製ブロックは、壁厚方向に分割され、前記固定部材を壁厚方向から挟んだ状態で該接合枠に固定され、
前記壁本体が前記接合枠を介して前記梁柱架構に固定されていることを特徴とする、耐震壁。
【発明の詳細な説明】
【技術分野】
【０００１】
本発明は、構造物の剛性および耐力を増加させるために構築される耐震壁に関する。
【背景技術】
【０００２】
従来、耐震性が不十分であると判断された既設構造物に対する一般的な補強構造としては、柱と梁から形成される梁柱架構の内側空間に、鉄筋コンクリート耐震壁や、鉄骨ブレース等を配置するものが知られている。
【０００３】
鉄筋コンクリート耐震壁は、配筋、型枠の設置、コンクリートの打設等、作業工程が多く、作業に手間がかかるという問題がある。
また、鉄骨ブレースによる耐震補強は、意匠的な観点から斜材が好まれず、重い鉄骨の搬入や配設に手間がかかるとともに、揚重機が必要になるという問題を有していた。
【０００４】
このような背景の中、例えば、特許文献１には、梁柱架構の内面に、コンクリートブロックを積み上げて構築する耐震壁が開示されている。この耐震壁は、接着材等を介してコンクリートブロック同士の接合を行っている。
【特許文献１】特開平１０−２９２６３９号公報
【発明の開示】
【発明が解決しようとする課題】
【０００５】
ところが、前記特許文献１に記載の耐震補強壁は、コンクリートブロック同士を接着材により接合しているため、地震時に引張力が作用すると、コンクリートブロック同士が離間し、剛性や耐力が低下するおそれがある。
【０００６】
本発明は、前記の問題点を解決するものであり、軽量で容易に施工を行うことができ、かつ、要求性能に応じた性能を発揮できる耐震壁を提案することを課題とする。
【課題を解決するための手段】
【０００７】
本発明の耐震壁は、梁柱架構の内面に配設される耐震壁であって、蟻状の凸部が形成された辺と蟻状の凹部が形成された辺とを有する複数の木製ブロックを積み上げることにより形成された壁本体と、前記壁本体の外周を覆う接合枠と、を備えており、前記凸部が形成された辺と前記凹部が形成された辺は互いに直交しており、前記接合枠と当接しない前記木製ブロックは、二組の対向する一対の辺のうち、一方の両辺に前記凸部が形成されているとともに他方の両辺に前記凹部が形成され、隣接する前記木製ブロック同士が一方の前記木製ブロックの前記凹部に他方の前記木製ブロックの前記凸部を挿入することにより互いに係合しているとともに、前記接合枠と当接する前記木製ブロックが、前記接合枠の内面に突設された固定部材を利用して該接合枠に締着され、前記壁本体が前記接合枠を介して前記梁柱架構に固定されていることを特徴としている。
【０００８】
かかる耐震壁は、壁本体を構成する木製ブロック同士が、互いに係合されているので、引張やせん断力の伝達性に優れた一体性の高い耐震壁が構成される。
また、耐震壁を構成する木製ブロックは、比較的軽量であるため、人力でも容易に施工を行うことができる。
【０００９】
また、第２の発明の耐震壁は、梁柱架構の内面に配設される耐震壁であって、複数の木製ブロックを積み上げることにより形成された壁本体と、前記壁本体の外周を覆う接合枠と、を備えており、隣接する前記木製ブロック同士が、前記接合枠に両端が固定された鋼棒に固定された係合ブロックを介して互いに係合しているとともに、前記壁本体が前記接合枠を介して前記梁柱架構に固定され、前記木製ブロックは、前記係合ブロックの係止が可能となるように角に切り欠き部が形成されていることを特徴としている。
【００１０】
また、前記耐震壁において、前記係合ブロックは、４つの前記木製ブロックの前記切り欠き部を組み合わせることにより形成される開口と同形状に形成されていてもよい。
【００１１】
また、第３の発明の耐震壁は、梁柱架構の内面に配設される耐震壁であって、複数の木製ブロックを積み上げることにより形成された壁本体と、前記壁本体の外周を覆う接合枠と、を備えており、前記接合枠の内面に、前記木製ブロックと接合するための固定部材が突設されていて、隣接する前記木製ブロック同士が互いに係合しているとともに、前記接合枠と当接する前記木製ブロックは、壁厚方向に分割され、前記固定部材を壁厚方向から挟んだ状態で該接合枠に固定され、前記壁本体が前記接合枠を介して前記梁柱架構に固定されていることを特徴としている。
【発明の効果】
【００１２】
本発明によれば、軽量故に人力でも容易に施工を行うことができ、かつ、引張やせん断力の伝達性に優れた一体性の高い耐震壁を提供することが可能となる。
【発明を実施するための最良の形態】
【００１３】
本発明の好適な実施の形態について、図面を参照して説明する。なお、説明において、同一要素には同一の符号を用い、重複する説明は省略する。
【００１４】
＜第１の実施の形態＞
第１の実施の形態に係る耐震壁１は、図１に示すように、左右に立設された柱２，２と、これらの柱２，２に横設されている上下の梁３，３と、により形成された梁柱架構４の内側空間に配設されている。
【００１５】
耐震壁１は、複数の木製ブロック１１，１１，…を積み上げることにより形成された壁本体１０と、壁本体１０の外周を覆う接合枠２０とを備えて構成されている。
【００１６】
壁本体１０は、隣接する木製ブロック１１同士が互いに係合することにより形成されていて、接合枠２０を介して梁柱架構４に固定されている。
【００１７】
木製ブロック１１は、デザインや組立てを考慮して所定形状のブロックに加工される。本実施形態では、人力で取り扱える程度の大きさおよび重量に形成されている。
木製ブロック１１は、無垢材、集成材、単板積層材等、あらゆる木質材により構成することが可能である。
【００１８】
木製ブロック１１には、一対の辺に蟻状の凸部１２，１２が形成されており、この凸部１２が形成された辺に直交する他の辺には、凸部が挿入可能に形成された蟻状の凹部１３，１３が形成されている。
なお、木製ブロック１１のうち、接合枠２０に当接する木製ブロック（以下、単に「端ブロック１１ａ」という場合がある）は、接合枠２０側の辺には凸部１２または凹部１３が形成されておらず、直線を呈している。
【００１９】
隣接する木製ブロック１１同士の係合は、一方の木製ブロック１１の凹部１３に他方の木製ブロック１１の凸部１２を挿入することにより行われている。
凸部１２および凹部１３は、蟻状に形成されているため、各木製ブロック１１同士を離隔する引張力やせん断力が作用しても、凸部１２が凹部１３から抜出したりずれたりすることがなく、木製ブロック１１同士が一体的に接合されている。
【００２０】
本実施形態では、同一形状の木製ブロック１１を複数使用し、隣り合う木製ブロック１１同士の向きを９０°回転させることで互いに接合している。
【００２１】
壁本体１０は、接合枠２０の内面に突設された固定部材であるネジ棒２１である固定部材を利用して端ブロック１１ａを締着することにより接合枠２０に固定されている。
【００２２】
端ブロック１１ａには、接合枠２０のネジ棒２１の上端部に対応して、端ブロック１１ａを前後方向（図１において表裏方向）で貫通するナット締孔１４が形成されている。また、端ブロック１１ａには、図２（ｂ）に示すように、ネジ棒２１を挿入することが可能なボルト孔１６が、接合枠２０側端面からナット締孔１４まで貫通している。
【００２３】
接合枠２０は、梁柱架構４の内面に沿った枠状の鋼板で形成されているが、これに限定されるものではなく、架構の形状に合わせて適宜設定すればよい。また接合枠２０は、複数の鋼板等を組み合わせてもよいし、一体に形成されたものを搬入してもよい。
【００２４】
接合枠２０の内面には、図２（ａ）に示すように、木製ブロック１１と接合するための固定部材としてのネジ棒２１が、所定の間隔をあけて複数本突設されている。
本実施形態では、ネジ棒２１を、角部に配置される一つの端ブロック１１ａに対しては３本、その他の位置に配置される一つの端ブロック１１ａに対しては２本ずつ配設している。なお、ネジ棒２１の数量や間隔は限定されるものではなく、適宜設定することが可能である。さらに、固定部材の構成はネジ棒に限定されるものではなく、適宜公知の固定部材が適用可能である。
【００２５】
端ブロック１１ａの接合枠２０への固定は、図２（ｂ）に示すように、ボルト孔１６にネジ棒２１を貫通させて、ナット締孔１４から工具を挿入してナット２２をネジ棒２１に締め付けることにより行う。このとき、隣り合う端ブロック１１ａ同士は、互いの凸部１２と凹部１３を噛み合わせることにより係合されている。
【００２６】
接合枠２０は、梁柱架構４に接着剤を介して接合されている。本実施形態では、エポキシ樹脂からなる接着剤を下側の梁３または接合枠２０に塗着させた状態で、接合枠２０を梁柱架構４に配置した後、柱２，２および上側の梁３と接合枠２０との隙間にエポキシ樹脂等からなる充填材２３を充填することにより接合枠２０の梁柱架構への接着を行っている。
【００２７】
耐震壁１の施工は、梁柱架構４に接合枠２０を設置した後、接合枠２０の内部に木製ブロック１１，１１，…を積み上げることにより行う。
このとき、木製ブロック１１は、下から積み上げてもいいし、端ブロック１１ａを接合枠２０に固定してから、その他の木製ブロック１１，１１，…を順次押し込むことにより組み立ててもよい。
【００２８】
なお、耐震壁１の施工は、接合枠２０の内面に壁本体１０を予め形成した状態で梁柱架構４内に配設することにより行ってもよく、施工の順序は限定されるものではない。
【００２９】
以上、第１の実施の形態に係る耐震壁１は、蟻状の凸部１２と凹部１３とを係合させて構成されているため、圧縮と共に引張やせん断力の伝達性に優れており、終局時でも木製ブロック１１同士が分離し難い強固な耐震壁１が構成される。
【００３０】
また、壁本体１０は、鉄やコンクリートよりも軽量である木製ブロック１１で構成されているため、材料の搬入から構築まで、人力により容易に行うことができる。そのため、施工性に優れるとともに、重機が必要ないため、安価に施工を行うことができる。
【００３１】
木製ブロック１１同士の係合は、蟻状の凸部１２および蟻状の凹部１３を互いに噛み合わせるのみで行われているため、作業が簡易で、早期に施工を行うことができる。また、別途、ボルト等の接合部材を要しないため、安価である。
【００３２】
木製ブロック１１同士を互いに係合させながら積み上げるのみで耐震壁１が形成されるため、従来のコンクリート耐震壁のように騒音や粉塵等が発生することがなく、供用中の構造物の補強にも好適に採用することができる。
【００３３】
また、木質材料を使用していることにより、比較的自由にブロック（木製ブロック１１）の形状を形成することができる。また、木製ブロック１１の組み合わせにより、デザインの自由度が増し、好適である。
また、仕上げ材を別途配設しなくても、デザイン性に優れた壁面を構成するため、全体工事費および作業時間を大幅に削減することが可能となる。
【００３４】
なお、前記実施形態では、木製ブロック１１同士を、凸部１２と凹部１３との係合のみで一体化するものとしたが、接着材を併用したり、または、図３に示すように、木製ブロック１１同士を、固定ボルト１５を介して連結してもよい。
この場合、各木製ブロック１１には、固定ボルト１５を挿通するための挿通孔１７が形成されており、挿通孔１７を挿通させた固定ボルト１５の端部を、木製ブロック１１を壁厚方向に貫通するように形成されたボルト締孔１８内に突出させ、ナットで締め付ければよい。
【００３５】
ここで、木製ブロック１１の構成は限定されるものではなく、適宜設定することが可能である。また、木製ブロック１１を連結する部材は固定ボルト１５に限定されるものではなく、例えばワイヤ等を使用することも可能である。また、図３では、１本の固定ボルト１５により３つの木製ブロック１１，１１，…を連結するものとしたが、２つの木製ブロック１１，１１または４つ以上の木製ブロック１１，１１，…を１本の固定ボルト１５により固定してもよい。また、木製ブロック１１に形成されるボルト締孔１８の形成箇所や方向および数は限定されるものではなく、適宜形成することが可能である。
【００３６】
また、前記実施形態では、接合枠２０を鋼板により構成したが、接合枠２０を構成する材料は限定されるものではなく、例えば、図４(ａ)に示すように、Ｈ形鋼などの鋼材２４を組み合わせることにより構成してもよい。
【００３７】
また、前記実施形態では、接合枠２０と梁柱架構４との接合をエポキシ樹脂等による接着方式により行うものとしたが、接合枠２０と梁柱架構４との接合方法はこれに限定されるものではなく、適宜公知の方法により行うことが可能である。
例えば、図４（ｂ）に示すように、接合枠２０と梁柱架構４との接合にセメント系グラウト２３’を用いることもできる。このとき、梁柱架構４にアンカーボルト４ａ，４ａ，…、接合枠２０の外面にはスタッドボルト２５，２５，…を設けてもよいし、圧縮力を伝達するだけなら、アンカーやスタッドを省略してグラウトを充填するだけでもよい。
【００３８】
＜第２の実施の形態＞
第２の実施の形態に係る耐震壁５は、図５に示すように、左右に立設された柱２，２と、これらの柱２，２に横設されている上下の梁３，３と、により形成された梁柱架構４の内側空間に配設されている。
【００３９】
耐震壁５は、複数の木製ブロック５１，５１，…を積み上げることにより形成された壁本体５０と、壁本体５０の外周を覆う接合枠２０とを備えて構成されている。
【００４０】
壁本体５０は、隣接する木製ブロック５１同士が互いに係合することにより形成されていて、接合枠２０を介して梁柱架構４に固定されている。本実施形態では、壁本体５０の角部に、木製ブロックに代えて鋼板により構成された鋼製角部材２９，２９，…を配設することで、耐震壁５の四隅の補強を行ったが、全て木製ブロック５１で形成してもよい。
【００４１】
木製ブロック５１は、無垢材、集成材等、あらゆる木質材が適用可能で、これらを所定形状のブロックに加工して形成される。本実施形態では、人力で取り扱うことが可能な程度の大きさおよび重量に形成している。
【００４２】
木製ブロック５１には、隣接する他の木製ブロック５１との接合部に、蟻状の凹部５２が形成されている。各木製ブロック５１に形成された凹部５２は、隣接する他の木製ブロック５１に形成された凹部５２と対向する位置に形成されており、木製ブロック５１同士を突き合わせると、凹部５２同士によって係合孔５３が形成される。
【００４３】
木製ブロック５１同士の係合は、係合孔５３に蟻状の係合ブロック５４を挿入することにより行われている。
【００４４】
係合ブロック５４は、蟻状の凹部５２同士を突き合わせて形成された係合孔５３と同形状に形成された木質部材であって、壁本体１０の前面側または裏面側から係合孔５３に押し込まれることにより、隣接する木製ブロック５１同士を接合する。
なお、係合ブロック５４を構成する材料は木質に限定されるものではなく、適宜公知の材料から選定して使用することが可能である。
【００４５】
壁本体５０は、接合枠２０の内面に突設されたネジ棒２１または接合板２６からなる固定部材を利用して締着することにより接合枠２０に固定されている。
【００４６】
壁本体５０の上端に対応する木製ブロック５１（以下、単に「上端ブロック５１ａ」という）は、図６（ａ）に示すように、壁厚方向（壁本体５０の前後方向）に２分割されており、接合枠２０の内面に突設された接合板２６を壁厚方向から挟むことにより、接合枠２０に固定されている。
【００４７】
上端ブロック５１ａの凹部５２には、凹部５２の接合枠２０側に接合枠２０の表面と平行をなす収容部５２ａが形成されており、上端ブロック５１ａを固定する際に使用するＬ型留具２７が収容されるように構成されている。
【００４８】
壁本体５０の下端および側端に対応する木製ブロック５１（以下、それぞれ「下端ブロック５１ｂ」および「側端ブロック５１ｃ」という）は、図６（ｂ）に示すように、接合枠２０の内面に突設されたネジ棒２１に締着されている（図６（ｂ）では下端ブロック５１ｂを示している）。なお、ネジ棒２１は、隣接する下端ブロック５１ｂ（側端ブロック５１ｃ）同士の境界部に配置される。下端ブロック５１ｂ（側端ブロック５１ｃ）には、側面にネジ棒２１に対応する断面半円状の溝が形成されており、ネジ棒２１は、この溝に収容される。なお、ネジ棒２１や接合板２６の配置箇所は限定されるものではなく、接合枠２０の何れの辺に設けてもよい。また、接合枠２０と壁本体５０との接合を、ネジ棒２１または接合板２６のいずれか一方のみで行ってもよい。
【００４９】
下端ブロック５１ｂ（側端ブロック５１ｃ）の凹部５２には、凹部５２の接合枠２０側に接合枠２０の表面と平行をなす収容部５２ａが形成されており、下端ブロック５１ｂ（側端ブロック５１ｃ）を固定する際に使用するワッシャー２８が収容されるように構成されている。
【００５０】
接合枠２０は、梁柱架構４の形状に沿って鋼板を矩形に形成することにより構成されているが、形状は矩形に限定されず、適宜設定することが可能である。接合枠２０は、複数の鋼板等を組み合わせて形成してもよいし、一体に形成されたものを搬入してもよい。
【００５１】
接合枠２０の内面には、図５および図６に示すように、上の辺からは、接合板２６が、左右および下の辺からはネジ棒２１が、所定の間隔をあけて複数突設されている。
本実施形態では、ネジ棒２１および接合板２６の配設間隔を、木製ブロック５１の左右の幅または高さと同じ大きさとし、ネジ棒２１および接合板２６を木製ブロック５１同士の接合部に配設するものとする。
【００５２】
また、接合枠２０の内面の各角部には、木製ブロック５１と同形状に形成された鋼板２９が一体に形成されている。なお、鋼板２９の接合枠２０への固定は、現場にて接合してもいいし、予め鋼板２９が接合された接合枠２０を搬入してもよい。
【００５３】
接合枠２０の梁柱架構４への接合方法は、第１の実施の形態で示した方法と同様なため、詳細な説明は省略する。
【００５４】
接合枠２０への壁本体５０の固定は、上端ブロック５１ａ、下端ブロック５１ｂおよび側端ブロック５１ｃをネジ棒２１または接合板２６を介して締着することにより行う。
【００５５】
壁厚方向に分割された一対のブロック構成材５１ａ’，５１ａ’からなる上端ブロック５１ａの接合枠２０への固定は、図６（ａ）に示すように、所定の間隔で配設された２枚の接合板２６，２６の間に跨って一対のブロック構成材５１ａ’，５１ａ’を配設し、各接合板２６をブロック構成材５１ａ’，５１ａ’で前後から挟んだ状態で行う。隣り合う上端ブロック５１ａ,５１ａは、両上端ブロック５１ａ，５１ａの間に跨って配設されたＬ型留具２７，２７を介して接合板２６に締着されている。なお、接合板２６へのＬ型留具２７,２７の固定が終了したら、係合孔５３に係合ブロック５４を挿入して隣り合う上端ブロック５１ａ同士を接合する。
【００５６】
下端ブロック５１ｂおよび側端ブロック５１ｃの接合枠２０への固定は、図６（ｂ）に示すように、所定の間隔をあけて配設されたネジ棒２１，２１の間に、下端ブロック５１ｂまたは側端ブロック５１ｃを配設した状態で行う。
【００５７】
下端ブロック５１ｂ（側端ブロック５１ｃ）の固定は、隣接する２つの下端ブロック５１ｂ，５１ｂ（側端ブロック５１ｃ，５１ｃ）の境界部に跨って配設されたワッシャー２８をナット２２により２つの下端ブロック５１ｂ，５１ｂ（側端ブロック５１ｃ，５１ｃ）で挟んだネジ棒２１に締着することで行われている。
【００５８】
ネジ棒２１へのナット締めが完了したら、下端ブロック５１ｂ（側端ブロック５１ｃ）同士の係合孔５３に係合ブロック５４を挿入することで、隣り合う端下端ブロック５１ｂ（側端ブロック５１ｃ）同士の接合を行う。
【００５９】
耐震壁５の施工は、梁柱架構４の内面に接合枠２０を配設した後、下側から木製ブロック５１を積み上げることにより行う。
【００６０】
上端ブロック５１ａの直下の木製ブロック５１の配置が完了したら、ブロック構成材５１ａ’を、前後から接合板２６を挟むように配置する。続いて、Ｌ型留具２７，２７を接合板２６に締着することで上端ブロック５１ａの接合枠２０への固定を行い、上端ブロック５１ａ同士の係合孔５３に係合ブロック５４を挿入して、上端ブロック５１ａ同士の接合を行う。
【００６１】
なお、係合ブロック５４の配置は、全ての木製ブロック５１の配置が完了してからまとめて行ってもいいし、木製ブロック５１が配置されるたびに係合ブロック５４を挿入して隣接する他の木製ブロック５１との接合を行うものとしてもよい。
【００６２】
以上、第２の実施の形態に係る耐震壁４によれば、隣り合う木製ブロック５１同士が、係合ブロック５４を介して係合されているため、圧縮と共に引張やせん断力の伝達性に優れており、終局時でも木製ブロック５１同士が分離し難い強固な耐震壁４が構成される。力の伝達性に優れており、引張力が作用した場合であっても、木製ブロック５１同士が分離することがない。そのため、力学的に優れた耐震壁５が構成される。
【００６３】
また、壁本体５０は、鉄やコンクリートよりも軽量である木製ブロック５１および係合ブロック５４で構成されているため、材料の搬入から構築まで、人力により容易に行うことができる。そのため、施工性に優れるとともに、重機が必要ないため、安価に施工を行うことができる。
【００６４】
木製ブロック５１同士の係合は、隣り合う木製ブロック５１同士の凹部５２，５２を組み合わせてなる係合孔５３に係合ブロック５４を挿入するのみで行われているため、作業が簡易で、早期に施工を行うことができる。また、別途、ボルト等の接合部材を要しないため、安価である。
【００６５】
木製ブロック５１同士を互いに係合させながら積み上げるのみで耐震壁５が形成されるため、従来のコンクリート耐震壁のように騒音や粉塵等が発生することがなく、供用中の構造物の補強にも好適に採用することができる。
【００６６】
また、木質材料を使用していることにより、比較的自由にブロック（木製ブロック５１）の形状を形成することができる。また、木製ブロック５１の組み合わせにより、デザインの自由度が増し、好適である。
また、仕上げ材を別途配設しなくても、デザイン性に優れた壁面を構成するため、全体工事費および作業時間を大幅に削減することが可能となる。
【００６７】
なお、第２の実施の形態では、木製ブロック５１と、鋼板２９との組み合わせにより、壁本体５０を形成したが、係合ブロック５４に硬質ゴムを用いたり、コンクリートブロックと組み合わせるなど、使用する部材の材質は限定されるものではない。
【００６８】
＜第３の実施の形態＞
第３の実施の形態に係る耐震壁５ａは、図７に示すように、壁本体５０に開口部５５が形成されている点で、第２の実施の形態に係る耐震壁５と異なっている。
【００６９】
耐震壁５ａには、左右２箇所の非木質部５５が形成されており、採光や通気が可能に形成されている。
なお、非木質部５５の形状や数は限定されるものではなく、適宜設定することが可能である。
【００７０】
非木質部５５は、非木質部５５に対応する縦横２個ずつ合計４個分の木製ブロック５１を省略することにより形成されて、矩形状を呈している。
非木質部５５は、その対角線方向（斜め方向）に配置された鋼板部５６，５６と窓部５７，５７とにより構成されている。
【００７１】
本実施形態に係る鋼板５６の周縁には、隣接する木製ブロック５１と接合するための接合板５６ａが形成されている。
鋼板５６と木製ブロック５１との接合は、接合板５６ａを木製ブロック５１の側面にボルト留めすることにより行う。なお、鋼板５６と木製ブロック５１の接合方法は限定されるものではなく、適宜公知の手段により行うことが可能である。
【００７２】
なお、本実施形態では、窓部５７を開口としているが、窓部５７にガラス板やアクリル板等を配置されていてもよい。
この他の耐震壁５ａの構成は、第２の実施の形態に係る耐震壁５の構成と同様なため、詳細な説明は省略する。
【００７３】
以上、第３の実施の形態に係る耐震壁５ａによれば、既存の構造物の補強を行うとともに、採光や通気の開口を確保することが可能となる。
この他、第３の実施の形態に係る耐震壁５ａの作用効果は、第２の実施の形態で示した耐震壁５と同様なため、詳細な説明は省略する。
【００７４】
＜第４の実施の形態＞
第４の実施の形態に係る耐震壁５ｂは、図８に示すように、壁本体５０に複数の窓部５７，５７，…が形成されている点で、第２の実施の形態に係る耐震壁５と異なっている。
【００７５】
第４の実施の形態では、木製ブロック５１の角部を切り欠いておくことにより、４つの木製ブロック５１，５１，…の接合部に窓部５７を形成するものとしている。
【００７６】
なお、開口部５７の形状、配置、大きさ等は限定されるものではなく、適宜設定することが可能である。例えば、木製ブロック５１の中央部に貫通孔を形成することにより窓部５７を形成してもよい。
【００７７】
また、図９に示す耐震壁５ｃのように、扇状の切り欠き部を有する木製ブロック５８を配設することにより、扇状の窓部５７を形成するものとしてもよい。
【００７８】
また、窓部５７は開口部であってもいいし、ガラス部材やアクリル部材等により遮蔽されていてもよい。
【００７９】
＜第５の実施の形態＞
第５の実施の形態に係る耐震壁６は、図１０に示すように、左右に立設された柱２，２と、これらの柱２，２に横設されている上下の梁３，３と、により形成された梁柱架構４の内側空間に配設されている。
【００８０】
耐震壁６は、複数の木製ブロック６１，６１，…を積み上げることにより形成された壁本体６０と、壁本体６０の外周を覆う接合枠２０とを備えて構成されている。
【００８１】
壁本体６０は、隣接する木製ブロック６１同士が、係合ブロック６２を介して互いに係合することにより形成されていて、接合枠２０を介して梁柱架構４に固定されている。
【００８２】
木製ブロック６１は、木質材を所定形状のブロックに形成することにより形成されており、本実施形態では、人力で取り扱うことが可能な程度の大きさおよび重量に形成している。
木製ブロック６１は、無垢材、集成材等、あらゆる木質材により構成することが可能である。
【００８３】
木製ブロック６１は、図１０（ｂ）に示すように、箱型の部材であって、係合ブロック６２の係止が可能となるように、角に切り欠き部６１ａが形成されたものである。
また、木製ブロック６１の中央には、十字状の開口部６１ｂが形成されており、採光および通気が可能に形成されている。
【００８４】
木製ブロック６１を配置すると、互いに隣接する４つの木製ブロック６１の切り欠き部６１ａを組み合わせることにより、断面矩形の開口が形成される。
【００８５】
係合ブロック６２は、図１０（ｂ）に示すように、４つの木製ブロック６１を組み合わせることにより形成される開口と同形状に形成された木質材であって、鋼棒６３が貫通している。係合ブロック６２は、鋼棒６３の所定の位置に、支圧ナット６４により固定されている。
【００８６】
係合ブロック６２は、鋼棒６３により締め付けられることで、木製ブロック６１に所定の圧縮力を付与する。
なお、鋼棒６３の両端は、図１０（ａ）に示すように、接合枠２０に固定されている。
【００８７】
以上、第５の実施の形態に係る耐震壁６によれば、鋼棒６３を介して木製ブロック６１および係合ブロック６２が互いに係合しているため、力の伝達性に優れており、引張力が作用した場合であっても、木製ブロック６１同士が分離することがない。そのため、力学的に優れた耐震壁１が構成される。
【００８８】
また、壁本体６０は、比較的軽量な木質材料からなる木製ブロック６１および係合ブロック６２に分割されているため、材料の搬入や、耐震壁６の構築等を、人力により容易に行うことができる。そのため、施工性に優れているとともに、木製ブロック６１等の搬入や設置等に建設機械等を使用する必要がないため、安価に施工を行うことができる。
【００８９】
木製ブロック６１同士を互いに係合させながら積み上げるのみで耐震壁６が形成されるため、従来のコンクリート耐震壁のように騒音や粉塵等が発生することがなく、供用中の構造物の補強にも好適に採用することができる。
【００９０】
以上、本発明について、好適な実施形態の例を説明したが、前記の各構成要素については、趣旨を逸脱しない範囲で適宜変更でき、構造物は新築、既存を問わず適用可能である。
例えば、木製ブロックの形状は限定されるものではなく適宜設定することが可能である。また、凸部および凹部の組み合わせや配置も自由に設定することが可能である。
【００９１】
また、種類や形状、寸法等が異なる木製ブロックを用いたり、一部を鋼板に置き換えたり、または、ガラス、アクリル、プラスチック等の異種材料のブロックと組み合わせて壁本体を形成し、強度や剛性、デザインを変化させてもよい。また採光や通風のために、各木製ブロックには、任意形状の開口部を形成してもよい。
【図面の簡単な説明】
【００９２】
【図１】第１の実施の形態に係る耐震壁を示す正面図である。
【図２】（ａ）は図１の耐震壁の接合枠の詳細を示す斜視図であって、（ｂ）は壁本体と接合枠との接合構造を示す斜視図である。
【図３】図１に示す耐震壁の木製ブロックの接合構造の変形例を示す正面図である。
【図４】（ａ）および（ｂ）は図１に示す耐震壁の梁柱架構への接合方法の変形例を示す正面図である。
【図５】第２の実施の形態に係る耐震壁を示す正面図である。
【図６】（ａ）および（ｂ）は図５の耐震壁の壁本体と接合枠との接合構造を示す斜視図である。
【図７】第３の実施の形態に係る耐震壁を示す正面図である。
【図８】第４の実施の形態に係る耐震壁を示す正面図である。
【図９】図８に示す耐震壁の変形例を示す正面図である。
【図１０】（ａ）は第５の実施の形態に係る耐震壁を示す正面図、（ｂ）は同耐震壁の木製ブロックの係合方法を示す斜視図である。
【符号の説明】
【００９３】
１，５，６  耐震壁
２      柱
３      梁
４      梁柱架構
１０    壁本体
１１    木製ブロック
１２  凸部
１３  凹部
２０    接合枠
２１    ネジ棒（固定部材）
２６    接合板（固定部材）
５１    木製ブロック
５４    係合ブロック
【図１】
0005507051.tif 000002
【図２】
0005507051.tif 000003
【図３】
0005507051.tif 000004
【図４】
0005507051.tif 000005
【図５】
0005507051.tif 000006
【図６】
0005507051.tif 000007
【図７】
0005507051.tif 000008
【図８】
0005507051.tif 000009
【図９】
0005507051.tif 000010
【図１０】
0005507051.tif 000011